(57)【特許請求の範囲】
【請求項１】
遊技盤が装着される内枠と、
該内枠の前面側に配置され、少なくとも前記遊技盤の一部を視認可能とする窓部が形成された前面扉とを備える弾球遊技機であって、
前記遊技盤は、
遊技球が流下する遊技領域が形成される板状の遊技領域部と、
前記遊技領域部の少なくとも前面の一部を覆うように配置され、前方側から前記遊技領域部を視認可能に形成された開口窓部により前記遊技領域を区画する遊技領域外周部と、
を備え、
前記内枠は、前記遊技領域外周部が取り付けられると共に、前記遊技領域が前記窓部を介して視認し得る開口部を備え、
前記遊技領域部は、前記遊技領域の周縁から離れる外方向に向かって延出する延出部を備え、
前記遊技領域外周部は前記内枠に前方側から取り付けられ、前記遊技領域部は前記内枠の後方側から、前記延出部と前記遊技領域外周部とが前後方向で少なくとも部分的に重なるように当該遊技領域外周部の後方から取り付けられることを特徴とする弾球遊技機。
【請求項２】
前記遊技領域外周部の前記開口窓部は、前記遊技領域部の前記遊技領域の外周形状と略同一形状であり、
前記遊技領域部は、前記遊技領域の配置状態が前記遊技領域外周部の前記開口窓部の配置状態と予め定めた対応関係となるように、前記遊技領域外周部の後方側に取り付けられることを特徴とする請求項１に記載の弾球遊技機。
【請求項３】
前記遊技領域部は、前記遊技領域が前記延出部の前面よりも前方に位置するように凸状に形成されており、
前記遊技領域が前記内枠の前記開口部に臨むように前記遊技領域外周部の後方側に取り付けられることを特徴とする請求項１又は請求項２に記載の弾球遊技機。
【請求項４】
前記延出部は、証紙を貼付可能な貼付部を備え、
前記遊技領域外周部は、少なくとも前記貼付部と重合する部位が前記証紙を視認可能に構成されていることを特徴とする請求項１から請求項３のいずれか一項に記載の弾球遊技機。
【請求項５】
前記遊技領域部の前記延出部の外形は、前記遊技領域外周部の外形と略同一形状であり、
前記遊技領域部は、前記遊技領域部の前記延出部の配置状態が前記遊技領域外周部の配置状態と予め定めた対応関係となるように、前記遊技領域外周部に取り付けられることを特徴とする請求項１から請求項４のいずれか一項に記載の弾球遊技機。
【請求項６】
前記遊技領域外周部は、前記遊技領域を区画するレール部を備えることを特徴とする請求項１から請求項５のいずれか一項に記載の弾球遊技機。
【請求項７】
前記遊技領域部は、
前記遊技領域が形成された板状の遊技領域本体部と、
前記遊技領域本体部が取り付けられる取付部と、
を備え、
前記取付部は、前記延出部を備えることを特徴とする請求項１から請求項６のいずれか一項に記載の弾球遊技機。
【請求項８】
前記取付部は、少なくとも前記遊技領域本体部の一部が嵌め込まれる取付凹部が形成されていることを特徴とする請求項７に記載の弾球遊技機。
【発明の詳細な説明】
【技術分野】
【０００１】
本発明は、弾球遊技機に関するものである。
【背景技術】
【０００２】
従来より、ぱちんこ機などの弾球遊技機には、べニアなどの木板やアクリル板などによって構成され、遊技球を流下させる遊技領域が形成された遊技盤が設けられている。このような遊技盤は、一般的に、遊技機に着脱自在な構成となっている。そして、遊技機に装着されている遊技盤をデザインや配置部品などが異なる他の遊技盤と交換することで、機種変更ができるようになっている。
【先行技術文献】
【特許文献】
【０００３】
【特許文献１】特許第５３７９８２９号公報
【発明の概要】
【発明が解決しようとする課題】
【０００４】
例えば、特許文献１で開示されるパチンコ遊技機１では、遊技盤６が前面枠１０１に着脱可能に取り付けられており、この遊技盤６は、遊技領域７が前面に形成された盤面板２００と、盤面板２００を取り付けるスペーサ部材２５０と、から構成されている。また、遊技盤６には、外レール４０１及び内レール４０２、外レール飾り６００ａ〜６００ｃ、障害釘Ｋ、風車、証紙貼付部材６０１、球戻り防止装置４１０などの遊技用部材と、センター枠飾り１１、可変入賞球装置１５、特別可変入賞球装置２０、ゲート３２、装飾部材２５などが取り付けられている。しかしながら、盤替えの際には、これら部材が取り付けられた状態の遊技盤６を前面枠１０１から取り外し、同様の構成の遊技盤６を取り付けることになる。そのため、上記のような多数の部品を備えた高額の遊技盤６を、盤替えの度に配備する必要があり、盤替えに必要なコストが増大する問題がある。
【０００５】
また、特許文献１で開示されるパチンコ遊技機１の遊技盤６では、盤面板２００がスペーサ部材２５０の前面に形成される取付面２５８ａに前方側から取り付けられる構成となっている。すなわち、スペーサ部材２５０の取付面２５８ａに盤面板２００が前後方向で重なる状態で、重なり合う部分をネジで固定する構成となっている。しかしながら、このような構成では、スペーサ部材２５０の前面側の部品配置の自由度を低下させることになり、特にガラス扉枠１０２を介してスペーサ部材２５０を視認可能な構成においては、スペーサ部材２５０の装飾効果を発揮させ難くなる。
【０００６】
本発明は、上述した課題を解決するためになされたものであり、遊技球が流下する遊技領域が形成された遊技盤を備える遊技機において、盤替えを遊技領域部のみの交換によって行うことで、コスト低減が可能であり、且つ遊技領域外周部の装飾効果を発揮させ易い構成を提供することを目的とする。
【課題を解決するための手段】
【０００７】
本発明の弾球遊技機は、
遊技盤が装着される内枠と、
該内枠の前面側に配置され、少なくとも前記遊技盤の一部を視認可能とする窓部が形成された前面扉とを備える弾球遊技機であって、
前記遊技盤は、
遊技球が流下する遊技領域が形成される板状の遊技領域部と、
前記遊技領域部の少なくとも前面の一部を覆うように配置され、前方側から前記遊技領域部を視認可能に形成された開口窓部により前記遊技領域を区画する遊技領域外周部と、
を備え、
前記内枠は、前記遊技領域外周部が取り付けられると共に、前記遊技領域が前記窓部を介して視認し得る開口部を備え、
前記遊技領域部は、前記遊技領域の周縁から離れる外方向に向かって延出する延出部を備え、
前記遊技領域外周部は前記内枠に前方側から取り付けられ、前記遊技領域部は前記内枠の後方側から、前記延出部と前記遊技領域外周部とが前後方向で少なくとも部分的に重なるように当該遊技領域外周部の後方から取り付けられることを特徴とする。
【発明の効果】
【０００８】
本発明の遊技機において、遊技領域を区画する遊技領域外周部は、遊技領域部と別体として遊技盤を構成し、遊技機の内枠に取り付けられる構成であるため、当該遊技領域外周部の取り換えの有無に拘わらず、遊技機から遊技領域部を単独で取り換えることが可能となる。そのため、遊技機の盤替えを、遊技領域部のみの交換によって行うことができる。これによって、遊技機の盤替えにおいて遊技領域外周部を流用することができ、盤替え時のコスト低減を図ることができる。
さらに、遊技領域部の延出部と遊技領域外周部とが前後方向で少なくとも部分的に重なる構成であるため、遊技領域部を遊技領域外周部の後方側に取り付ける際に、当該延出部を遊技領域外周部の後方側において遊技領域部を固定する機構に利用することができる。そのため、遊技盤を内枠に配置して遊技盤の固定機構を遊技領域外周部の前方側に設ける構成と比べ、前面扉を介した遊技領域外周部の視認性を遊技領域部によって阻害され難くなる。これによって、遊技領域外周部の装飾効果を発揮させ易くなり、遊技の興趣を高め易くなる。
【０００９】
また、遊技領域外周部が内枠に後方側から取り付けられる構成と比べて、内枠によって遊技領域外周部の前方側が覆われ難くなり、遊技領域外周部が前面扉を介して視認され易くなる。そのため、遊技領域外周部の装飾効果をより発揮させ易くなる。また、遊技領域外周部と遊技領域部とがそれぞれ内枠の前後方向から取り付けられる構成であるため、遊技盤の交換時（盤替え時）に、内枠の後方側から遊技領域部のみを取り換えることで済み、作業負担が軽減される。
【００１０】
また、本発明において、遊技領域外周部の開口窓部は、遊技領域部の遊技領域の外周形状と略同一形状であり、遊技領域部は、遊技領域の配置状態が遊技領域外周部の開口窓部の配置状態と予め定めた対応関係となるように、遊技領域外周部の後方側に取り付けられてもよい。
この構成では、遊技領域部を遊技領域外周部の後方側に取り付ける際に、遊技領域外周部の開口窓部の配置状態を基準に遊技領域を所定の対応関係となる位置に配置することができ、遊技領域部の位置合わせを行い易くなる位置決め手段となる。
【００１１】
また、本発明において遊技領域部は、遊技領域が延出部の前面よりも前方に位置するように凸状に形成されており、遊技領域が内枠の開口部に臨むように遊技領域外周部の後方側に取り付けられてもよい。
この構成では、遊技領域部を遊技領域外周部に取り付ける際に、遊技領域部を内枠の開口部に臨むようにすることで遊技領域部と内枠及び遊技領域外周部の相対的な位置が決められる位置決め手段となるため、位置合わせが容易になり、取付作業の負担を軽減することができる
【００１２】
また、本発明において、延出部は、証紙を貼付可能な貼付部を備え、遊技領域外周部は、少なくとも前記貼付部と重合する部位が証紙を視認可能に構成されていてもよい。
この構成では、遊技領域外周部によって貼付部に貼り付けられた証紙を保護することができ、遊技者側から当該証紙を剥がす等の操作を加え難くなり、不正行為の防止を図ることができる。また、遊技盤の交換時（盤替え時）には、遊技領域部を取り換えることで、貼付部に貼り付けられた証紙も同時に取り換えることができる。
【００１３】
また、本発明において、遊技領域部の延出部の外形は、遊技領域外周部の外形と略同一形状であり、遊技領域部は、遊技領域部の延出部の配置状態が遊技領域外周部の配置状態と予め定めた対応関係となるように、遊技領域外周部の後方側に取り付けられてもよい。
この構成では、遊技領域部を遊技領域外周部の後方側に取り付ける際に、遊技領域外周部の配置状態を基準に遊技領域部の延出部を所定の対応関係となる位置に配置する位置決め手段とすることができ、遊技領域部の位置合わせを行い易くなる。
【００１４】
また、本発明において、遊技領域外周部は、遊技領域を区画するレール部を備えていてもよい。
この構成では、遊技領域部にレール部を設ける必要がなくなり、遊技機の盤替えにおいて遊技領域外周部と共にレール部を流用することができ、盤替え時のコストの低減を図ることができる。また、遊技領域部にレール部を設ける構成と比べて、遊技領域部の大型化を抑制することができ、遊技領域部を遊技領域外周部に取り付け易くなる。
【００１５】
また、本発明において、遊技領域部は、遊技領域が形成された板状の遊技領域本体部と、遊技領域本体部が取り付けられる取付部と、を備え、取付部は、延出部を備える構成であってもよい。
この構成では、遊技領域本体部を取り換えることによって遊技領域部を変更することができる。これによって、遊技機の盤替えにおいて、取付部を流用することができ、さらに盤替え時のコストの低減を図ることができる。
【００１６】
また、本発明において、取付部は、少なくとも遊技領域本体部の一部が嵌め込まれる取付凹部が形成されていてもよい。
この構成では、遊技領域本体部の取付部への取り付け時に、取付凹部に少なくとも遊技領域本体部の一部を嵌め込むことで、取付部に対する遊技領域本体部の位置合わせを容易に行う位置決め手段とすることができ、遊技機の盤替えの作業負担が軽減される。
【図面の簡単な説明】
【００１７】
【図１】図１は、本発明の第１実施形態に係る弾球遊技機を例示する正面図である。
【図２】図２は、図１の遊技盤が備える遊技領域部の正面図である。
【図３】図３は、図２の盤面部品を外した状態の遊技領域部を前方側且つ斜め上方側から見た斜視図である。
【図４】図４は、図３の遊技領域部が備える遊技領域本体部を前方側且つ斜め上方側から見た斜視図である。
【図５】図５は、図３の遊技領域部が備える取付部を前方側且つ斜め上方側から見た斜視図である。
【図６】図６は、図１の遊技盤が備える遊技領域外周部を前方側且つ斜め上方側から見た斜視図である。
【図７】図７は、図１の弾球遊技機が備える内枠の正面図である。
【図８】図８は、図１のＡ−Ａ断面を概略的に示す断面図である。
【図９】図９は、図１のＡ−Ａ断面における分解断面図である。
【図１０】図１０は、本発明の第２実施形態に係る弾球遊技機において、遊技盤が備える遊技領域部を前方側且つ斜め上方側から見た斜視図である。
【図１１】図１１は、図１０の遊技領域部が備える取付部を前方側且つ斜め上方側から見た斜視図である。
【図１２】図１２は、本発明の第２実施形態に係る弾球遊技機において、図１のＡ−Ａ断面に相当する断面の一部を概略的に示す断面図である。
【図１３】図１３は、本発明の第２実施形態に係る弾球遊技機において、図１のＡ−Ａ断面に相当する断面の一部における分解断面図である。
【図１４】図１４は、本発明の他の実施形態に係る弾球遊技機において、遊技領域部が備える取付部の正面図である。
【図１５】図１５は、図１４のＢ−Ｂ断面の一部を概略的に示す断面図である。
【図１６】図１６は、本発明の他の実施形態に係る弾球遊技機が備える遊技領域本体部の正面図である。
【発明を実施するための形態】
【００１８】
[第１実施形態]
以下、本発明に係る弾球遊技機（以下、単に遊技機ともいう）１を具現化した第１実施形態について、図面を参照して説明する。
（遊技機の構成）
まず、図１を参照して遊技機１の構成を概説する。図１に示す遊技機１は、いわゆるパチンコ機として構成されるものであり、枠状に形成された外枠２の前面側の一側に本発明の遊技盤１０が装着される内枠３（図７参照）がヒンジ２ａ，２ａを介して前面側に向かって片開き可能に軸支されている。そして、その内枠３の前面側の一側に遊技盤１０を視認可能とする窓部４ａが形成された前面扉４が開閉自在に取り付けられている。なお、前面扉４の窓部４ａには、遊技盤１０とほぼ平行にガラス板などによって構成された複数の透明板７（図８、図９参照）が設けられ、当該透明板７を介して遊技盤１０を視認し得るようになっている。また、遊技盤１０の前面１０ａ（盤面）には、発射装置９（図７参照）より発射された遊技球Ｂａを誘導するレール部（外側レール部３１、内側レール部３２）が設けられ、このレール部（外側レール部３１、内側レール部３２）によって略円形状の遊技領域ＡＲ１が区画形成されている。そして、遊技機１は、遊技領域ＡＲ１内において透明板７と遊技盤１０との間を遊技球Ｂａが流下するように構成されている。また、前面扉４の前面には遊技球Ｂａを貯留し、且つ貯留した遊技球Ｂａを整流して発射装置９（図７参照）に供給する球受皿５が設けられている。さらに、この球受皿５の右下側には、発射装置９（図７参照）による遊技球Ｂａの発射力を調節する球発射ハンドル６が設けられている。
【００１９】
本明細書において、「前後方向」とは、遊技盤１０の前面１０ａ（盤面）と直交する方向を意味し、前面１０ａ（盤面）に対し遊技者が位置するべき側を前方側、それとは反対側（即ち、遊技機１奥側）を後方側とする。また、「上下方向」とは、遊技盤１０の前面１０ａと平行で遊技領域ＡＲ１を遊技球が流下する方向（鉛直方向）を意味する。また、「左右方向」とは、上記「前後方向」及び「上下方向」と直交する方向を意味する。
【００２０】
（遊技盤の構成）
次に、第１実施形態に係る遊技盤１０について説明する。
図１、図８、図９に示すように、遊技盤１０は、遊技球Ｂａが遊技領域ＡＲ１を流下する板状の遊技領域部２０と、この遊技領域部２０の前面２０ａ側に配置され、遊技領域ＡＲ１を区画するレール部（外側レール部３１、内側レール部３２）を備えた遊技領域外周部３０と、を備えている。また、遊技盤１０の中央付近には、各種表示を行い得る液晶表示部４１が配置され、この液晶表示部４１の下方には、遊技球Ｂａの入賞に基づき液晶表示部４１の図柄を変動させる始動入賞口４２、及び液晶表示部４１の変動結果によって遊技球Ｂａを受け入れる大入賞口４３が配置されている。また、大入賞口４３の下方には、これら入賞口に入賞しなかった遊技球Ｂａを遊技盤１０の背面側に排出するアウト口２０ｉが設けられている。
以下、図１〜図９を参照し、遊技盤１０の各構成要素について詳述する。
【００２１】
まず、遊技領域部２０について説明する。
遊技領域部２０は、図２、図３、図８、図９に示すように、遊技領域ＡＲ１が形成される板状の遊技領域本体部２２と、この遊技領域本体部２２が取り付けられる取付部２４と、を備えている。
遊技領域本体部２２は、図４に示すように、例えば木板（ベニヤ板など）、アクリル板などによって所定の厚みを有する円盤状に形成された本体板部２２ａによって構成されており、この本体板部２２ａには、左上及び右上の縁部分にそれぞれ外側に楔形状に突出する突出部２２ｃ，２２ｄが形成されている。突出部２２ｃは、発射装置９から打ち出された遊技球Ｂａが遊技領域ＡＲ１に入る部位に相当し、突出部２２ｄは、遊技領域ＡＲ１を区画する外側レール部３１、内側レール部３２の境界部に相当する。また、本体板部２２ａの下端部分には、下方に正面視略円弧形状で突出する下側突出部２２ｅが形成されている。
【００２２】
また、本体板部２２ａには、板厚方向（前後方向）に貫通する複数の貫通孔が形成されている。例えば、本体板部２２ａの中央付近には、液晶表示部４１（図１、図２参照）を挿通して取り付ける円形の本体側第１貫通孔２２ｆが形成されており、この本体側第１貫通孔２２ｆの下方には、始動入賞口４２（図１、図２参照）を挿通して取り付ける円形の本体側第２貫通孔２２ｇが形成されている。また、本体側第２貫通孔２２ｇの下方には、大入賞口４３（図１、図２参照）を挿通して取り付ける本体側第３貫通孔２２ｈが、左右方向に伸びる長手状且つ矩形状に形成されている。さらに、本体側第３貫通孔２２ｈの下方の下側突出部２２ｅには、アウト口２０ｉの前側の一部を構成する本体側第４貫通孔２２ｉが左右方向に伸びる長孔形状に形成されている。この本体側第４貫通孔２２ｉは、当該本体側第４貫通孔２２ｉを構成する壁部の下方側が本体板部２２ａの下端よりも下方に突出するように形成されている。このように形成される遊技領域本体部２２の前面が遊技領域ＡＲ１に相当し、この遊技領域ＡＲ１には、文字、数字、記号、図形等の装飾（意匠）などが表記され、遊技機１の演出効果を高める構成となっている。
【００２３】
取付部２４は、図５に示すように、矩形板状に形成された取付板部２４ａによって所定の厚みに構成されており、この取付板部２４ａの前面中央には遊技領域本体部２２を取り付ける取付凹部２４ｂが後方に凹む窪み形状に形成されている。この取付凹部２４ｂは、遊技領域本体部２２を前面に投影した形状の外縁で囲まれた範囲において遊技領域本体部２２の厚みより浅く後方に凹むように形成されており、遊技領域本体部２２が取付凹部２４ｂの前方から嵌め込まれる構成となっている。具体的には、取付凹部２４ｂは、前方から見て略円形状に形成され、その左上及び右上の側壁部分にそれぞれ外側に楔形状で凹み遊技領域本体部２２の突出部２２ｃ，２２ｄと合致する切欠部２４ｃ，２４ｄが形成されている。また、取付凹部２４ｂの下方の側壁部分には、後述する取付側第４貫通孔２４ｉの下方側の縁に沿って下方に凹む下側凹部２４ｅが形成されている。そして、取付凹部２４ｂには、板厚方向（前後方向）に貫通する複数の貫通孔が形成されている。例えば、取付凹部２４ｂの中央付近には、本体側第１貫通孔２２ｆと連通する円形の取付側第１貫通孔２４ｆが形成されており、この取付側第１貫通孔２４ｆの下方には、本体側第２貫通孔２２ｇと連通する円形の取付側第２貫通孔２４ｇが形成されている。また、取付側第２貫通孔２４ｇの下方には、本体側第３貫通孔２２ｈと連通する構成で、左右方向に伸びる長手状且つ矩形状の取付側第３貫通孔２４ｈが形成されている。さらに、取付側第３貫通孔２４ｈの下方には、左右方向に伸びる長孔形状であってアウト口２０ｉの後側の一部を構成する取付側第４貫通孔２４ｉが形成されている。
【００２４】
なお、取付部２４の取付板部２４ａにおいて、図５に示すように、取付凹部２４ｂの周縁（側壁部分）から外方に離れる方向に向かって延出する部分を延出部２４ｊとする。すなわち、延出部２４ｊは、図３に示すように、遊技領域本体部２２を取付部２４に取り付けて構成される遊技領域部２０において、遊技領域ＡＲ１の外縁から離れる方向に向かって当該遊技領域ＡＲ１の外縁から延出する部分である。そして、延出部２４ｊの外形は、後述する遊技領域外周部３０の板部３０ａの外形と略同一形状、すなわち、正面視矩形状になっており、図８及び図９に示すように後方が開放した中空状に形成されている。また、延出部２４ｊの前面における取付凹部２４ｂの右下方の延出部２４ｊに、特定の開示情報が記載された証紙が貼り付けられる貼付部２４ｋが形成されている。貼付部２４ｋは、証紙を貼り付ける前面部が証紙と略同形の六角形状で取付板部２４ａと平行になっており、遊技領域外周部３０内に臨む所定の高さ前方に突出する中空状に形成されている。特定の開示情報とは、遊技機管理団体の権利を受けたことを示す情報や、その際付与された管理番号等である。
【００２５】
次に、遊技領域外周部３０について説明する。
遊技領域外周部３０は、図６に示すように、矩形板状に形成された板部３０ａと、この板部３０ａの上下左右の各縁からそれぞれ後方に延出する上壁部３０ｂ、左壁部３０ｃ、右壁部３０ｄ、底壁部３０ｅとにより所定の厚みを備えている。この遊技領域外周部３０は、遊技領域部２０の前方側を覆うように構成されている。また、板部３０ａは、例えばカットレンズなどのレンズ部材によって形成され、後方側にＬＥＤなどの発光部材を設ける構成であり、さらに前面に文字、数字、記号、図形等の装飾（意匠）などが表記又はかたどられることによって遊技機１の演出効果を高める構成となっている。
【００２６】
また、板部３０ａには、図６に示すように、前方側から遊技領域ＡＲ１を視認可能とする開口窓部３０ｆが形成されており、その周囲の板部３０ａが遊技領域部２０の延出部２４ｊを覆うように構成されている。開口窓部３０ｆは、遊技領域部２０の遊技領域ＡＲ１の外周形状と略同一形状で形成されており、具体的には、前方から見て略円形状に形成され、その左上及び右上の部分がそれぞれ外側に楔形状で突出する上側突出縁部３０ｇ，３０ｈが形成されている。また、開口窓部３０ｆの下方には、略円弧状に下側に突出する下側突出縁部３０ｉが形成されている。また、下側突出縁部３０ｉに沿って後方側に延出する湾曲壁部形状のアウト口誘導部３０ｎが形成されている。また、板部３０ａには、開口窓部３０ｆの左側において、上方の一部が当該開口窓部３０ｆに沿うように上下方向に伸びる形状で切り欠いた前側切欠部３０ｊが形成されている。なお、前側切欠部３０ｊは、板部３０ａの下側の縁から、開口窓部３０ｆの左上の上側突出縁部３０ｇと繋がる位置（図６に示す破線の位置）まで切り欠かれるように形成されている。また、底壁部３０ｅには、前側切欠部３０ｊの下端と重なる位置から、当該前側切欠部３０ｊの下端における左右方向の幅と同じ幅で後端まで切り欠いた下側切欠部３０ｋが形成されている。前側切欠部３０ｊは、外側誘導部３０ｍと、内側壁部３０ｑ及び後側壁部３０ｒとにより溝状に形成され、発射装置９から打ち出された遊技球Ｂａを下側切欠部３０ｋから上側突出縁部３０ｇを経て遊技領域ＡＲ１に導く誘導路の役割を成している。
【００２７】
外側誘導部３０ｍは、図６に示すように、後述する外側レール部３１が配設される正面視略円弧状に形成されている。具体的には、外側誘導部３０ｍは、前側切欠部３０ｊの左側の縁及び開口窓部３０ｆの縁（開口窓部３０ｆの縁は上側突出縁部３０ｇの左側端部から上側突出縁部３０ｈの右側端部まで連続する部分）において後方側に延出するように形成されている。また、開口窓部３０ｆの下側突出縁部３０ｉの左右両側の端部から上側突出縁部３０ｇ，３０ｈの下端部までの縁において後方側に延出し、後述する内側レール部３２が配設される内側誘導部３０ｐが形成されている。そして、外側誘導部３０ｍ、内側誘導部３０ｐ、アウト口誘導部３０ｎが繋がって正面視略円形状の遊技領域ＡＲ１を区画構成している。また、遊技領域外周部３０は、図６に示すように、板部３０ａの右下方に位置し、少なくとも遊技領域部２０の貼付部２４ｋと重合する部位がアクリル板などの透明部材によって構成される透過部３０ｓとして形成されている。
【００２８】
次に、内枠３について説明する。
内枠３は、図７に示すように、矩形板状に形成された内枠板部３ａと、この内枠板部３ａの外周を囲むように形成された外側周壁部３ｂと、を備えている。また、内枠板部３ａには、遊技領域本体部２２と同程度の大きさで前後方向に貫通する略円形状の開口部３ｃが形成されている。さらに、開口部３ｃの周縁における左上部分、右上部分、左下部分、及び右下部分の各部分に前方に突出する内側周壁部３ｄが形成されている。また、開口部３ｃの右下方の位置に、取付部２４の貼付部２４ｋの前面の形状と相似形状で前後方向に貫通する外側開口部３ｅが形成されている。さらに、開口部３ｃの外周近傍などの内枠板部３ａの前面には、遊技領域外周部３０を取り付ける取付ボス３ｆが突出形成されている。また、内枠板部３ａの左下方の位置には、発射装置９が装着されている。
【００２９】
（遊技盤の遊技機への取り付け構造）
次に、遊技盤１０の遊技機１（内枠３）への取り付け構造について説明する。
まず、遊技領域部２０の構造について説明する。遊技領域部２０は、図３、図８、図９などに示すように、遊技領域本体部２２が前方から取付凹部２４ｂに嵌め込まれて取付部２４に取り付けられるように構成されている。ここで、遊技領域本体部２２を取付部２４に取り付ける際に、突出部２２ｃ，２２ｄを切欠部２４ｃ，２４ｄに嵌め込み、同様に、下側突出部２２ｅを下側凹部２４ｅに嵌め込むことで、遊技領域本体部２２の取付部２４に対する位置合わせを行い易くなる。そして、遊技領域本体部２２を取付部２４（取付凹部２４ｂ）に取り付けることで、遊技領域本体部２２の前面が延出部２４ｊの前面より突出し、凸部２０ｂが形成されることになる。
【００３０】
また、遊技領域本体部２２を取付部２４に取り付けることで、図３に示すように、本体側第１貫通孔２２ｆと取付側第１貫通孔２４ｆが連通して第１貫通孔２０ｆが形成される。同様に、本体側第２貫通孔２２ｇと取付側第２貫通孔２４ｇが連通して第２貫通孔２０ｇが形成され、本体側第３貫通孔２２ｈと取付側第３貫通孔２４ｈが連通して第３貫通孔２０ｈが形成され、本体側第４貫通孔２２ｉと取付側第４貫通孔２４ｉが連通してアウト口２０ｉが形成される。そして、図２などに示すように、液晶表示部４１が第１貫通孔２０ｆに前方から挿通するように遊技領域部２０に設置され、同様に、始動入賞口４２、大入賞口４３がそれぞれ第２貫通孔２０ｇ、第３貫通孔２０ｈに前方から挿通するように遊技領域部２０に設置される。また、遊技領域本体部２２の前面には、遊技球Ｂａの落下方向を適宜分散調整する釘（図８、図９参照）などの部材が取り付けられる。
【００３１】
また、遊技領域部２０の後方には、液晶表示部４１を覆うように液晶ベース８（図８、図９参照）が取り付けられている。この液晶ベース８は、遊技領域部２０と略同じ大きさで前面側が開放する箱状に形成され、液晶表示部４１の液晶が収容部８ａに収容され、液晶ベース８の後面には演出制御基板や遊技制御基板（主基板）が設置されている。そして、遊技領域部２０（取付部２４）の後方側に形成されたボス２４ｍと液晶ベース８の締結部８ｂ，８ｃとを合致させ締結部材（例えば、ねじ）を用いて固定することで、遊技領域部２０に液晶ベース８を取り付けるようになっている。なお、液晶ベース８の収容部８ａにギミック等の演出装置を収容するようにしてもよい。
【００３２】
次に、遊技領域外周部３０の内枠３への取り付け構造について説明する。遊技領域外周部３０は、図８、図９に示すように、内枠３に前方側から取り付けられる。具体的には、図８に示すように、内枠３の内枠板部３ａの前側において、外側周壁部３ｂの内側に遊技領域外周部３０が収まるようになっている。また、内側周壁部３ｄの内側（より具体的には、開口部３ｃの縁の内側）に、内側誘導部３０ｐと、外側誘導部３０ｍの一部（すなわち、上側突出縁部３０ｇよりも右側の部分）が収まるようになっている。すなわち、遊技領域外周部３０の開口窓部３０ｆは、内枠３の開口部３ｃの内側に収まるようになっている。
【００３３】
また、図８に示すように、内枠３の開口部３ｃと、遊技領域外周部３０の外側誘導部３０ｍ、内側誘導部３０ｐ、アウト口誘導部３０ｎ、及び後側壁部３０ｒと、外側レール部３１と、内側レール部３２と、によって前方に凹む凹部５０が形成されている。すなわち、内枠３の開口部３ｃが凹部５０の側壁部を構成し、遊技領域外周部３０の外側誘導部３０ｍ、内側誘導部３０ｐ、アウト口誘導部３０ｎ、及び後側壁部３０ｒと、外側レール部３１と、内側レール部３２と、が凹部５０の底壁部を構成している。例えば、図８に示すＡ−Ａ断面において、左右に見られる凹部５０の一部は、内枠３の開口部３ｃが凹部５０の側壁部を構成し、遊技領域外周部３０の内側誘導部３０ｐの後側端部と、内側レール部３２の後側端部と、が凹部５０の底壁部を構成している。
【００３４】
また、図８に示すように、遊技領域外周部３０の透過部３０ｓは、内枠３の外側開口部３ｅの前方に位置しており、遊技領域外周部３０の前方側から外側開口部３ｅを介して後方が視認可能になっている。そして、遊技領域外周部３０の板部３０ａに形成された締結部３０ｔを内枠３の取付ボス３ｆに合致させ締結部材（例えば、ねじ）を用いて係合することで、遊技領域外周部３０を内枠３に取り付けるようになっている。また、遊技領域外周部３０は、図１、図８、図９に示すように、外側誘導部３０ｍ、内側誘導部３０ｐに沿って、例えば金属材料によって形成された外側レール部３１、内側レール部３２が取り付けられている。
【００３５】
次に、遊技領域部２０の取り付け構造について説明する。遊技領域部２０は、図８、図９に示すように、遊技領域外周部３０の後方側から取り付けられる構成となっている。すなわち、内枠３に取り付けられた遊技領域外周部３０に対して、液晶ベース８が取り付けられた遊技領域部２０を後方から取り付けるようになっている。なお、遊技領域部２０は、遊技領域外周部３０及び内枠３の後方側において、例えば係止具などの取付部材（図示略）を用いて内枠３に着脱自在（交換自在）に取り付けるようになっている。ここで、遊技領域部２０は、遊技領域ＡＲ１の配置状態が遊技領域外周部３０の開口窓部３０ｆの配置状態と予め定めた対応関係となるように、内枠３に取り付けられる構成となっている。すなわち、遊技領域部２０の遊技領域ＡＲ１の外周形状を前方に投影した場合に、遊技領域外周部３０の開口窓部３０ｆの外周形状と環状に前後方向で重なるように、遊技領域部２０が遊技領域外周部３０の後方側に配置されるようになっている。より具体的には、遊技領域部２０の突出部２２ｃ，２２ｄ（図３参照）がそれぞれ遊技領域外周部３０の上側突出縁部３０ｇ，３０ｈ（図６参照）に重なると共に、下側突出部２２ｅ（図３参照）が下側突出縁部３０ｉ（図６参照）に重なるような構成となっている。
【００３６】
また、遊技領域部２０は、延出部２４ｊの配置状態が遊技領域外周部３０の板部３０ａの配置状態と予め定めた対応関係となるように、内枠３に取り付けられる構成となっている。すなわち、図８に示すように、遊技領域部２０の延出部２４ｊの外周形状を前方に投影した場合に、遊技領域外周部３０の板部３０ａと重なるように、遊技領域部２０が遊技領域外周部３０の後方側に配置されるようになっている。より具体的には、遊技領域部２０の延出部２４ｊの上側の縁が遊技領域外周部３０の上壁部３０ｂと前後方向で重なり、同様に、延出部２４ｊの左側、右側、下側の各縁が位置決め手段となり、遊技領域外周部３０の左壁部３０ｃ、右壁部３０ｄ、底壁部３０ｅとそれぞれ前後方向で重なるようになっている。
【００３７】
また、図８に示すように、遊技領域部２０は、遊技領域本体部２２の前面と延出部２４ｊの前面とによって構成された凸部２０ｂ（本体板部２２ａ）を、遊技領域外周部３０、内枠３などによって構成された凹部５０に嵌め込むように内枠３に取り付けられる構成となっている。そして、遊技領域外周部３０の後方側に配置される遊技領域部２０の延出部２４ｊと、遊技領域外周部３０の板部３０ａとが、前後方向で重なる構成となる。より具体的には、遊技領域外周部３０の板部３０ａにおける透過部３０ｓを除く部分が、内枠板部３ａを介して遊技領域部２０の延出部２４ｊと、前後方向で重なる構成となっている。
【００３８】
また、図８に示すように、遊技領域部２０は、取付部２４の延出部２４ｊの前面が内枠３の内枠板部３ａの後面に当接するように取り付けられる構成である。さらに、遊技領域外周部３０の内側誘導部３０ｐ及び外側誘導部３０ｍの後端部、外側レール部３１及び内側レール部３２の後端部などが、遊技領域本体部２２の外周近傍の前面に当接する構成となっている。そして、遊技領域外周部３０の開口窓部３０ｆ（より具体的には、内側誘導部３０ｐ及び外側誘導部３０ｍ）、レール部（外側レール部３１、内側レール部３２）によって、遊技領域ＡＲ１を遊技領域部２０の前面において区画する。また、前方側から遊技領域外周部３０の開口窓部３０ｆを介して遊技領域部２０に形成された遊技領域ＡＲ１が視認可能となっている。
【００３９】
また、図８に示すように、内枠３の外側開口部３ｅに遊技領域部２０の貼付部２４ｋが後方側から挿通され、遊技領域外周部３０の透過部３０ｓの後方に当該貼付部２４ｋが配置される構成である。このような構成によって、遊技領域外周部３０は、板部３０ａ（より具体的には透過部３０ｓ）を介して貼付部２４ｋに貼り付けられた証紙を視認可能とする。
【００４０】
また、前面扉４は、図１、図８に示すように、遊技領域部２０と遊技領域外周部３０とによって構成された遊技盤１０の前面側に配置され、窓部４ａ（より具体的には、窓部４ａに設けられた透明板７（図８、図９参照））及び内枠３の開口部３ｃを介して前方側から遊技領域ＡＲ１と遊技領域外周部３０が視認可能となっている。具体的には、遊技領域外周部３０は、図１に示すように、窓部４ａを介して、板部３０ａの前面における開口窓部３０ｆ側の一部、外側誘導部３０ｍ、内側誘導部３０ｐ、透過部３０ｓなどが視認可能になっている。
【００４１】
（第１実施形態の主な効果）
本発明の遊技機１において、遊技領域ＡＲ１を区画する遊技領域外周部３０は、遊技領域部２０と別体として遊技盤１０を構成し、遊技機１の内枠３に取り付けられる構成であるため、当該遊技領域外周部３０の取り換えの有無に拘わらず、遊技機１から遊技領域部２０を単独で取り換えることが可能となる。そのため、遊技機１の盤替えを、遊技領域部２０のみの交換によって行うことができる。これによって、遊技機１の盤替えにおいて遊技領域外周部３０を流用することができ、盤替え時のコスト低減を図ることができる。
さらに、遊技領域部２０の延出部２４ｊと遊技領域外周部３０とが前後方向で少なくとも部分的に重なる構成であるため、遊技領域部２０を遊技領域外周部３０の後方側に取り付ける際に、当該延出部２４ｊを遊技領域外周部３０の後方側において遊技領域部２０を固定する機構に利用することができる。本構成では、遊技領域部２０は、遊技領域外周部３０の後方に位置する内枠３の内枠板部３ａの後方側に延出部２４ｊを当接させつつ、遊技領域外周部３０及び内枠３の後方側において取付部材（図示略）を用いて内枠３に装着するようになっている。そのため、遊技盤１０を内枠３に配置して遊技盤１０の固定機構を遊技領域外周部３０の前方側に設ける構成と比べ、前面扉４を介した遊技領域外周部３０の視認性を遊技領域部２０によって阻害され難くなる。これによって、遊技領域外周部３０の装飾効果を発揮させ易くなり、遊技の興趣を高め易くなる。
【００４２】
また、遊技領域外周部３０は内枠３に前方側から取り付けられ、遊技領域部２０は内枠３の後方側から取り付けられている。
このような構成によって、遊技領域外周部３０が内枠３に後方側から取り付けられる構成と比べて、内枠３によって遊技領域外周部３０の前方側が覆われ難くなり、遊技領域外周部３０が前面扉４を介して視認され易くなる。そのため、遊技領域外周部３０の装飾効果をより発揮させ易くなる。また、遊技領域外周部３０と遊技領域部２０とがそれぞれ内枠３の前後方向から取り付けられる構成であるため、遊技盤１０の交換時（盤替え時）に、内枠３の後方側から遊技領域部２０のみを取り換えるだけの容易な作業となる。
【００４３】
また、遊技領域外周部３０の開口窓部３０ｆは、遊技領域部２０の遊技領域ＡＲ１の外周形状と略同一形状であり、遊技領域部２０は、遊技領域の配置状態が遊技領域外周部３０の開口窓部３０ｆの配置状態と予め定めた対応関係となるように、遊技領域外周部３０に取り付けられている。
このような構成によって、遊技領域部２０を遊技領域外周部３０の後方側に取り付ける際に、遊技領域外周部３０の開口窓部３０ｆの配置状態を基準に遊技領域ＡＲ１を所定の対応関係となる位置に配置することができ、遊技領域部２０の位置合わせを行い易くなる位置決め手段となる。
【００４４】
また、遊技領域部２０は、遊技領域ＡＲ１が延出部２４ｊの前面よりも前方に位置するように凸状に形成されており、遊技領域ＡＲ１が内枠３の開口部３ｃに臨むように遊技領域外周部３０の後方側に取り付けられている。
このような構成によって、遊技領域部２０を遊技領域外周部３０に取り付ける際に、遊技領域部２０を内枠３の開口部３ｃに臨むようにすることで遊技領域部２０と内枠３及び遊技領域外周部３０の相対的な位置が決められる位置決め手段となるため、位置合わせが容易になり、取付作業の負担を軽減することができる。
【００４５】
また、延出部２４ｊは、証紙を貼付可能な貼付部２４ｋを備え、遊技領域外周部３０は、少なくとも貼付部２４ｋと重合する部位が証紙を視認可能に構成されている。
このような構成によって、遊技領域外周部３０によって貼付部２４ｋに貼り付けられた証紙を保護することができ、遊技者側から当該証紙を剥がす等の操作を加え難くなり、不正行為の防止を図ることができる。
【００４６】
また、遊技領域部２０の延出部２４ｊの外形は、遊技領域外周部３０の外形と略同一形状であり、遊技領域部２０は、遊技領域部２０の延出部２４ｊの配置状態が遊技領域外周部３０の配置状態と予め定めた対応関係となるように、遊技領域外周部３０の後方側に取り付けられている。
このような構成によって、遊技領域部２０を遊技領域外周部３０の後方側に取り付ける際に、遊技領域外周部３０の配置状態を基準に遊技領域部２０の延出部２４ｊを所定の対応関係となる位置に配置する位置決め手段とすることができ、遊技領域部２０の位置合わせを行い易くなる。
【００４７】
また、遊技領域外周部３０は、遊技領域ＡＲ１を区画する外側レール部３１及び内側レール部３２を備えていている。
このような構成によって、遊技領域部２０に外側レール部３１及び内側レール部３２を設ける必要がなくなり、遊技機１の盤替えにおいて遊技領域外周部３０と共に外側レール部３１及び内側レール部３２を流用することができ、盤替え時のコストの低減を図ることができる。また、遊技領域部２０にこのようなレール部（外側レール部３１、内側レール部３２）を設ける構成と比べて、遊技領域部２０の大型化を抑制することができ、遊技領域部２０を遊技領域外周部３０に取り付け易くなる。
【００４８】
また、遊技領域部２０は、遊技領域ＡＲ１が形成された板状の遊技領域本体部２２と、遊技領域本体部２２が取り付けられる取付部２４と、を備え、取付部２４は、延出部２４ｊを備える構成である。
このような構成によって、遊技領域本体部２２を取り換えることによって遊技領域部２０を変更することができる。これによって、遊技機１の盤替えにおいて、取付部２４を流用することができ、さらに盤替え時のコストの低減を図ることができる。
【００４９】
また、取付部２４は、少なくとも遊技領域本体部２２の一部が嵌め込まれる取付凹部２４ｂが形成されていている。
このような構成によって、遊技領域本体部２２の取付部２４への取り付け時に、取付凹部２４ｂに少なくとも遊技領域本体部２２の一部を嵌め込むことで、取付部２４に対する遊技領域本体部２２の位置合わせを容易に行う位置決め手段とすることができ、遊技機１の盤替えの作業負担が軽減される。
【００５０】
[第２実施形態]
本発明に係る遊技機１を具現化した第２実施形態について、図１０〜図１３等を参照して説明する。上記第１実施形態では、遊技領域部２０において、遊技領域本体部２２が前方から取付凹部２４ｂに嵌め込まれて取付部２４に取り付けられる構成を示したが、第２実施形態の遊技領域部２２０は、取付部２２４に取付凹部が形成されない構成である。以下、第１実施形態と同一の部分については第１実施形態と同一の符号を付し、適宜、図１〜９を参照し、詳細な説明は省略する。
【００５１】
（遊技盤の構成）
遊技盤２１０は、図１２に示すように、遊技球Ｂａが遊技領域ＡＲ１を流下する板状の遊技領域部２２０と、この遊技領域部２２０の前面２２０ａ側に配置され、遊技領域ＡＲ１を区画するレール部（外側レール部３１、内側レール部３２）を備えた遊技領域外周部３０と、を備えている。また、遊技領域部２２０は、図１２、図１３に示すように、遊技領域ＡＲ１が形成される板状の遊技領域本体部２２と、この遊技領域本体部２２が取り付けられる取付部２２４と、を備えている。
【００５２】
取付部２２４は、図１１に示すように、矩形板状に形成された取付板部２２４ａによって所定の厚みに構成されており、この取付板部２２４ａの前面中央には遊技領域本体部２２を取り付ける取付領域ＡＲ２を備えている。この取付領域ＡＲ２に、遊技領域本体部２２が前方に取り付けられる構成となっている。また、取付板部２２４ａには、板厚方向（前後方向）に貫通する複数の貫通孔が形成されている。例えば、取付板部２２４ａの中央付近には、本体側第１貫通孔２２ｆと連通する円形の取付側第１貫通孔２２４ｆが形成されており、この取付側第１貫通孔２２４ｆの下方には、本体側第２貫通孔２２ｇと連通する円形の取付側第２貫通孔２２４ｇが形成されている。また、取付側第２貫通孔２２４ｇの下方には、本体側第３貫通孔２２ｈと連通する構成で、左右方向に伸びる長手状且つ矩形状の取付側第３貫通孔２２４ｈが形成されている。さらに、取付側第３貫通孔２２４ｈの下方には、左右方向に伸びる長孔形状であってアウト口２２０ｉの後側の一部を構成する取付側第４貫通孔２２４ｉが形成されている。
【００５３】
なお、取付部２２４の取付板部２２４ａにおいて、図１１に示すように、取付領域ＡＲ２の周縁から外方に離れる方向に向かって延出する部分を延出部２２４ｊとする。すなわち、延出部２２４ｊは、図１０に示すように、遊技領域本体部２２を取付部２２４に取り付けて構成される遊技領域部２２０において、遊技領域ＡＲ１の外縁から離れる方向に向かって当該遊技領域ＡＲ１の外縁から延出する部分である。そして、延出部２２４ｊの外形は、第１実施形態の遊技領域外周部３０と同様の構成の遊技領域外周部３０における板部３０ａの外形と略同一形状、すなわち、正面視矩形状になっている。また、延出部２２４ｊの前面の右下方には、第１実施形態の貼付部２４ｋと同様の構成の貼付部２２４ｋが形成され、この前面部に証紙を貼り付けるようになっている。さらに、取付板部２２４ａの前面側の四隅には、液晶ベース８を取り付けるための突起部２２４ｐが前方に突出形成されている。
【００５４】
（遊技盤の遊技機への取り付け構造）
次に、本第２実施形態に係る遊技盤２１０の遊技機１（内枠３）への取り付け構造について説明する。
まず、遊技領域部２２０の構造について説明する。遊技領域部２２０は、遊技領域本体部２２が取付部２２４の取付領域ＡＲ２に取り付けられることによって形成される。そして、遊技領域本体部２２を取付部２２４に取り付けることで、遊技領域本体部２２の前面が延出部２２４ｊの前面より突出し、凸部２２０ｂが形成されることになる。また、図１０に示すように、本体側第１貫通孔２２ｆと取付側第１貫通孔２２４ｆが連通して第１貫通孔２２０ｆが形成される。同様に、本体側第２貫通孔２２ｇと取付側第２貫通孔２２４ｇが連通して第２貫通孔２２０ｇが形成され、本体側第３貫通孔２２ｈと取付側第３貫通孔２２４ｈが連通して第３貫通孔２２０ｈが形成され、本体側第４貫通孔２２ｉと取付側第４貫通孔２２４ｉが連通してアウト口２２０ｉが形成される。そして、第１実施形態と同様に、液晶表示部４１、始動入賞口４２、大入賞口４３がそれぞれ第１貫通孔２２０ｆ、第２貫通孔２２０ｇ、第３貫通孔２２０ｈに前方から挿通するように遊技領域部２２０に設置され、遊技領域本体部２２の前面に、遊技球Ｂａの落下方向を適宜分散調整する釘（図１２、図１３参照）などの部材が取り付けられる。また、遊技領域部２２０には、液晶ベース８（図１２、図１３参照）が、ねじなどの締結部材（図示略）を用いて後方から取り付けられている。
【００５５】
本第２実施形態では、凹部２５０の構成が、第１実施形態の凹部５０の構成と異なっている。本第２実施形態の内枠３は、図１２、図１３に示すように、内側周壁部３ｄが形成される開口部３ｃの縁から後方に延出する後側周壁部３ｈが形成されている。そして、図１３に示すように、内枠３の開口部３ｃ及び後側周壁部３ｈと、遊技領域外周部３０の外側誘導部３０ｍ、内側誘導部３０ｐ、アウト口誘導部３０ｎ、及び後側壁部３０ｒと、外側レール部３１と、内側レール部３２と、によって前方に凹む凹部２５０が形成されている。すなわち、図１３に示すように、内枠３の開口部３ｃ及び後側周壁部３ｈが凹部２５０の側壁部を構成し、遊技領域外周部３０の外側誘導部３０ｍ、内側誘導部３０ｐ、アウト口誘導部３０ｎ、及び後側壁部３０ｒと、外側レール部３１と、内側レール部３２と、が凹部２５０の底壁部を構成している。例えば、図１２に示す断面において、左右に見られる凹部２５０の一部は、内枠３の開口部３ｃ及び後側周壁部３ｈが凹部２５０の側壁部を構成し、遊技領域外周部３０の内側誘導部３０ｐの後側端部と、内側レール部３２の後側端部と、が凹部２５０の底壁部を構成している。
【００５６】
次に、遊技領域部２２０の取り付け構造について説明する。遊技領域部２２０は、図１２、図１３に示すように、遊技領域外周部３０の後方側から取り付けられる構成となっている。すなわち、内枠３に取り付けられた遊技領域外周部３０に対して、液晶ベース８が取り付けられた遊技領域部２２０を後方から取り付けるようになっている。なお、遊技領域部２２０は、遊技領域外周部３０及び内枠３の後方側において、例えば係止具などの取付部材（図示略）を用いて内枠３に着脱自在（交換自在）に取付けされるようになっている。ここで、遊技領域部２２０は、遊技領域ＡＲ１の配置状態が遊技領域外周部３０の開口窓部３０ｆの配置状態と予め定めた対応関係となるように、内枠３に取り付けられる構成となっている。すなわち、遊技領域部２２０の遊技領域ＡＲ１の外周形状を前方に投影した場合に、遊技領域外周部３０の開口窓部３０ｆの外周形状と環状に前後方向で重なるように、遊技領域部２２０が遊技領域外周部３０の後方側に配置されるようになっている。より具体的には、遊技領域本体部２２の突出部２２ｃ，２２ｄ（図１０参照）がそれぞれ遊技領域外周部３０の上側突出縁部３０ｇ，３０ｈ（図６参照）に重なると共に、下側突出部２２ｅ（図１０参照）が下側突出縁部３０ｉ（図６参照）に重なるような構成となっている。
【００５７】
また、遊技領域部２２０は、延出部２２４ｊの配置状態が遊技領域外周部３０の板部３０ａの配置状態と予め定めた対応関係となるように、内枠３に取り付けられる構成となっている。すなわち、図１２に示すように、遊技領域部２２０の延出部２２４ｊの外周形状を前方に投影した場合に、遊技領域外周部３０の板部３０ａと重なるように、遊技領域部２２０が遊技領域外周部３０の後方側に配置されるようになっている。より具体的には、遊技領域部２２０の延出部２２４ｊの上側の縁が遊技領域外周部３０の上壁部３０ｂと前後方向で重なり、同様に、延出部２２４ｊの左側、右側、下側の各縁が遊技領域外周部３０の左壁部３０ｃ、右壁部３０ｄ、底壁部３０ｅとそれぞれ前後方向で重なるようになっている。
【００５８】
また、図１２に示すように、遊技領域部２２０は、遊技領域本体部２２の前面と延出部２２４ｊの前面とによって構成された凸部２２０ｂ（本体板部２２ａ）を、遊技領域外周部３０、内枠３などによって構成された凹部２５０に嵌め込むように取り付けられる構成となっている。そして、遊技領域外周部３０の後方側に配置される遊技領域部２２０の延出部２２４ｊと、遊技領域外周部３０の板部３０ａとが、前後方向で重なる構成となる。より具体的には、遊技領域外周部３０の板部３０ａにおける透過部３０ｓを除く部分が、内枠板部３ａを介して遊技領域部２２０の延出部２２４ｊと、前後方向で重なる構成となっている。
【００５９】
また、図１２に示すように、遊技領域部２２０は、取付板部２２４ａの突起部２２４ｐが内枠３の内枠板部３ａの後面に当接するように取り付けられる構成である。また、内枠３の後側周壁部３ｈの後端部が、遊技領域部２２０の延出部２２４ｊの前面における取付領域ＡＲ２の外側の近傍に当接するように構成されている。さらに、遊技領域外周部３０の内側誘導部３０ｐ及び外側誘導部３０ｍの後端部、外側レール部３１及び内側レール部３２の後端部などが、遊技領域本体部２２の外周近傍の前面に当接する構成となっている。そして、遊技領域外周部３０の開口窓部３０ｆ（より具体的には、内側誘導部３０ｐ及び外側誘導部３０ｍ）、レール部（外側レール部３１、内側レール部３２）によって、遊技領域ＡＲ１を遊技領域部２２０の前面において区画する。また、前方側から遊技領域外周部３０の開口窓部３０ｆを介して遊技領域部２２０に形成された遊技領域ＡＲ１が視認可能となっている。
【００６０】
また、図１２に示すように、内枠３の外側開口部３ｅに遊技領域部２２０の貼付部２２４ｋが後方側から挿通され、遊技領域外周部３０の透過部３０ｓの後方に当該貼付部２２４ｋが配置される構成である。このような構成によって、遊技領域外周部３０は、板部３０ａ（より具体的には透過部３０ｓ）を介して貼付部２２４ｋに貼り付けられた証紙を視認可能となる。
【００６１】
また、前面扉４は、遊技領域部２２０と遊技領域外周部３０とによって構成された遊技盤２１０の前面側に配置され、窓部４ａ（より具体的には、窓部４ａに設けられた透明板７（図１２、図１３参照））を介して前方側から遊技領域ＡＲ１と遊技領域外周部３０が視認可能となっている。具体的には、遊技領域外周部３０は、窓部４ａを介して、板部３０ａの前面における開口窓部３０ｆ側の一部、外側誘導部３０ｍ、内側誘導部３０ｐ、透過部３０ｓなどが視認可能になっている（図１参照）。
【００６２】
本第２実施形態の遊技機１の構成によれば、第１実施形態と同様の効果が得られる。
【００６３】
［他の実施形態]
本発明は上記記述及び図面によって説明した実施形態に限定されるものではなく、例えば次のような実施形態も本発明の技術的範囲に含まれる。
【００６４】
上記第１実施形態では、貼付部２４ｋが、取付部２４の前面における右下方の隅に設けられる構成を例示したが、図１４に示すように、貼付部２５が、取付部２４の前面における左下方の隅に設けられる構成であってもよい。例えば、図１４に示すように、取付部２４の取付板部２４ａと別体として形成された貼付部２５が、取付部２４に前方から取り付けられる構成であってもよい。この貼付部２５は、図１４に示すような正面視略矩形状の前板部２５ａと、図１５に示すように当該前板部２５ａの左右の縁の中央部分から後方に延出する取付片２５ｂ，２５ｃと、を備えている。この取付片２５ｂ，２５ｃは、図１５に示すように、断面視略Ｌ字形状になっており、取付部２４に形成された取付孔２４ｔ，２４ｕに挿通されて、貼付部２５を取付部２４に取り付けるようになっている。また、内枠３には、図１５に示すように、開口部３ｃの左下方の位置に、貼付部２５の前面の形状と相似形状で前後方向に貫通する外側開口部３ｉが形成されている。また、例えば、遊技領域外周部３０の後側壁部３０ｒには、透明部材によって構成される透過部３０ｖが形成されていてもよい。そして、図１５に示すように、内枠３の外側開口部３ｉに貼付部２５が後方側から嵌め込まれ、遊技領域外周部３０の透過部３０ｖの後方に当該貼付部２５が配置される構成となる。
このような構成によって、遊技領域外周部３０は、板部３０ａ（より具体的には透過部３０ｖ）を介して貼付部２５に貼り付けられた証紙を視認可能となる。つまり、遊技球Ｂａの誘導路の下面に証紙が存在することになり、遊技者から見て遊技球Ｂａは証紙の上を通過することになる。また、このような構成によって、遊技盤１０において遊技領域ＡＲ１を右下方に拡大させ易くなり、遊技盤１０に対して遊技球Ｂａを右打ちするような場合の遊技の興趣を高めることができる。
上記第２実施形態においても、同様の構成で、上記貼付部２５と同様の構成の貼付部が、取付部２２４の前面における左下方の隅に設けられてもよい。
【００６５】
また、上記第１実施形態では、遊技領域部２０は、それぞれ別体として遊技領域本体部２２と取付部２４を備える構成を例示したが、遊技領域本体部２２と取付部２４とが一体として遊技領域部２０を構成してもよい。すなわち、本体板部２２ａ及び取付板部２４ａを含んだ一つの板部材で遊技領域部２０が構成されてもよい。
同様に、上記第２実施形態においても、遊技領域本体部２２と取付部２２４とが一体として遊技領域部２２０を構成してもよい。
【００６６】
また、上記第１，第２実施形態では、遊技領域部２０，２２０の延出部２４ｊ，２２４ｊの外形が、遊技領域外周部３０の外形と略同一形状である構成を例示したが、遊技領域本体部２２の外周縁の所定箇所に延出部（取付部）が形成され、この延出部を用いて遊技領域外周部３０に直接遊技領域本体部２２を固定する構成であってもよい。例えば、図１６に示すように、上記第１，第２実施形態の遊技領域本体部２２において、その外周縁の左上、右上、左下、右下の各部分から外方に離れる方向に向かって延出する取付縁部２２ｋ，２２ｍ，２２ｎ，２２ｐが形成される構成である。具体的には、取付縁部２２ｋ，２２ｍ，２２ｎは、それぞれ突出部２２ｃ，２２ｄの上方、突出部２２ｃの下方において、正面視略三角形状且つ板状に形成されている。また、突出部２２ｄの下方に形成される取付縁部２２ｐは、他の取付縁部２２ｋ，２２ｍ，２２ｎより大きく正面視略三角形状且つ板状に形成され、その前面側には、上記第１実施形態の貼付部２４ｋと同様の構成の貼付部２２ｑが形成されている。そして、遊技領域外周部３０の後面に形成された取付ボスと取付縁部２２ｋ，２２ｍ，２２ｎ，２２ｐに形成された取付孔２２ｒを合致させてねじ等の締結部材を用いて締結することで、遊技領域本体部２２を遊技領域外周部３０に直接固定する構成である。
このような構成によって、上記第１，第２実施形態の取付部２４，２２４のような部材を介さず、遊技領域本体部２２を遊技領域外周部３０に取り付けることが可能であり、遊技盤の部材点数を削減することができ、遊技盤を構成する部材の加工における負担も低減することができる。
【００６７】
また、上記第１，第２実施形態では、遊技領域外周部３０が内枠３に前方側から取り付けられる構成を例示したが、遊技領域外周部３０が内枠３に後方側から取り付けられる構成であってもよい。
【００６８】
また、上記第１、第２実施形態では、遊技領域外周部３０において、外側誘導部３０ｍに沿って外側レール部３１が取り付けられ、内側誘導部３０ｐに沿って内側レール部３２が取り付けられる構成を例示したが、これら外側レール部３１、内側レール部３２を設けない構成であってもよい。すなわち、遊技領域外周部３０の内側誘導部３０ｐ及び外側誘導部３０ｍによって、遊技領域ＡＲ１を遊技領域部２０の前面において区画する構成であってもよい。
【符号の説明】
【００６９】
１…弾球遊技機（遊技機）
３…内枠
３ｃ…開口部
４…前面扉
４ａ…窓部
１０，２１０…遊技盤
１０ａ，２１０ａ…盤面（前面）
２０，２２０…遊技領域部
２０ａ，２２０ａ…前面
２０ｂ，２２０ｂ…凸部
２２…遊技領域本体部
２４，２２４…取付部
２４ｂ…取付凹部
２４ｊ，２２４ｊ…延出部
２４ｋ，２２４ｋ，２５…貼付部
３０…遊技領域外周部
３０ｆ…開口窓部
３１…外側レール部（レール部）
３２…内側レール部（レール部）
５０，２５０…凹部
ＡＲ１…遊技領域
Ｂａ…遊技球
【図１】
0006391157.tif 000002
【図２】
0006391157.tif 000003
【図３】
0006391157.tif 000004
【図４】
0006391157.tif 000005
【図５】
0006391157.tif 000006
【図６】
0006391157.tif 000007
【図７】
0006391157.tif 000008
【図８】
0006391157.tif 000009
【図９】
0006391157.tif 000010
【図１０】
0006391157.tif 000011
【図１１】
0006391157.tif 000012
【図１２】
0006391157.tif 000013
【図１３】
0006391157.tif 000014
【図１４】
0006391157.tif 000015
【図１５】
0006391157.tif 000016
【図１６】
0006391157.tif 000017